(57)【要約】【課題】通知に対する応答を適切に受け取ることができる通知制御装置を提供する。【解決手段】本発明の一態様に係る通知制御装置１１０は、車の運転者への通知を表示装置１１８に表示させる表示制御部１１４と、通知の表示の開始後に通知に対する応答を運転者から入力装置１１９を介して受け付ける応答受付部１１５とを備え、応答受付部１１５は、通知の表示の終了後であっても、通知に対する応答を受け付ける。【選択図】図１
2014196083.tif 000002
【特許請求の範囲】
【請求項１】
車の運転者への通知を表示装置に表示させる表示制御部と、
前記通知の表示の開始後に前記通知に対する応答を前記運転者から入力装置を介して受け付ける応答受付部とを備え、
前記応答受付部は、前記通知の表示の終了後であっても、前記通知に対する前記応答を受け付ける
通知制御装置。
【請求項２】
前記通知制御装置は、さらに、最後に表示された前記通知が格納される記憶部を備え、
前記応答受付部は、前記記憶部に格納された前記通知に対する前記応答を受け付ける
請求項１に記載の通知制御装置。
【請求項３】
前記表示制御部は、前記通知の表示の開始前に、および、前記通知の表示の終了後に、前記運転者が前記車の運転に用いる情報を前記表示装置に表示させる
請求項１または２に記載の通知制御装置。
【請求項４】
前記表示制御部は、前記通知を前記表示装置に表示させる際、前記情報に代えて、または、前記情報と共に、前記通知を前記表示装置に表示させる
請求項３に記載の通知制御装置。
【請求項５】
前記表示制御部は、前記運転に用いる前記情報として、前記車の周辺の道路情報、または、前記車の走行情報を前記表示装置に表示させる
請求項３または４に記載の通知制御装置。
【請求項６】
前記表示制御部は、前記運転者への前記通知として、前記車の周辺における施設を前記表示装置に表示させるか否かの確認通知、または、前記車の設備を動作させるか否かの確認通知を前記表示装置に表示させる
請求項１〜５のいずれか１項に記載の通知制御装置。
【請求項７】
前記表示制御部は、前記通知を表示してから所定の時間の経過後に、前記通知の表示を終了する
請求項１〜６のいずれか１項に記載の通知制御装置。
【請求項８】
前記表示制御部は、さらに、前記通知の表示の終了後に前記応答受付部が前記応答を受け取った場合、再度、前記通知を前記表示装置に表示させる
請求項１〜７のいずれか１項に記載の通知制御装置。
【請求項９】
前記表示制御部は、さらに、前記通知の表示の終了後に前記応答受付部が前記応答を受け取った場合でも、前記応答に対応する新たな通知を前記表示装置に表示させる
請求項１〜８のいずれか１項に記載の通知制御装置。
【請求項１０】
前記通知制御装置は、さらに、前記通知の表示の終了後に前記応答受付部が前記応答を受け取った場合でも、前記応答に対応する動作を前記車の設備に行わせる動作制御部を備える
請求項１〜９のいずれか１項に記載の通知制御装置。
【請求項１１】
前記応答受付部は、マイク、または、前記車のステアリング・ホイールに取り付けられたスイッチである前記入力装置を介して、前記応答を受け付ける
請求項１〜１０のいずれか１項に記載の通知制御装置。
【請求項１２】
前記通知制御装置は、さらに、前記通知の表示中に、音声出力装置に前記通知を音声で出力させる音声出力制御部を備える
請求項１〜１１のいずれか１項に記載の通知制御装置。
【請求項１３】
前記通知制御装置は、さらに、前記車の状態を取得する状態取得部を備え、
前記表示制御部は、取得された前記状態が前記通知のための所定の条件を満たす場合に、前記通知を前記表示装置に表示させる
請求項１〜１２のいずれか１項に記載の通知制御装置。
【請求項１４】
車の運転者への通知を表示装置に表示させる表示制御ステップと、
前記通知の表示の開始後に前記通知に対する応答を前記運転者から入力装置を介して受け付ける応答受付ステップとを含み、
前記応答受付ステップでは、前記通知の表示の終了後であっても、前記通知に対する前記応答を受け付ける
通知制御方法。
【発明の詳細な説明】
【技術分野】
【０００１】
本発明は、車の運転者への通知を制御する通知制御装置に関する。
【背景技術】
【０００２】
車の運転者への通知を制御する通知制御装置に関する技術として、特許文献１および特許文献２に記載の技術がある。
【先行技術文献】
【特許文献】
【０００３】
【特許文献１】特開２００８−３０５３１９号公報
【特許文献２】特開２００１−４７９４９号公報
【発明の概要】
【発明が解決しようとする課題】
【０００４】
しかしながら、運転の状況によって、通知に対する応答が運転者から得られない場合がある。
【０００５】
そこで、本発明は、通知に対する応答を適切に受け取ることができる通知制御装置を提供する。
【課題を解決するための手段】
【０００６】
本発明の一態様に係る通知制御装置は、車の運転者への通知を表示装置に表示させる表示制御部と、前記通知の表示の開始後に前記通知に対する応答を前記運転者から入力装置を介して受け付ける応答受付部とを備え、前記応答受付部は、前記通知の表示の終了後であっても、前記通知に対する前記応答を受け付ける。
【０００７】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本発明に係る通知制御装置は、通知に対する応答を適切に受け取ることができる。
【図面の簡単な説明】
【０００９】
【図１】図１は、実施の形態に係る通知システムの構成を示すブロック図である。
【図２】図２は、実施の形態に係る通知システムの動作を示すフローチャートである。
【図３】図３は、実施の形態の変形例に係る情報提示装置の構成を示すブロック図である。
【図４】図４は、実施の形態の変形例に係るユーザ嗜好テーブルを示す図である。
【図５】図５は、実施の形態の変形例に係る提示条件テーブルを示す図である。
【図６】図６は、実施の形態の変形例に係る情報提示装置の動作を示すフローチャートである。
【図７】図７は、実施の形態の変形例に係る情報提示装置の動作を示すタイムチャートである。
【図８】図８は、実施の形態の変形例に係る基本画面および情報提示画面を示す図である。
【図９】図９は、実施の形態の変形例に係る提示情報を含む基本画面を示す図である。
【図１０】図１０は、実施の形態の適用例を示す図である。
【発明を実施するための形態】
【００１０】
（本発明の基礎となった知見）
本発明者は、「背景技術」の欄において記載した、車の運転者への通知を制御する通知制御装置に関し、以下の問題が生じることを見出した。
【００１１】
車両においてユーザに情報を提示する技術として、種々のセンシング情報に基づいて適切なタイミングでユーザに情報を提示し、ユーザの応答履歴を学習して、該当する情報を再度提示するかどうかを変更する技術が提案されている（例えば、特許文献１参照）。
【００１２】
また、より適切なタイミングでユーザに情報を提示するため、運転負荷を検出して、もしくは、運転負荷を推定して、運転負荷が大きい場合には、情報の提示を抑制する技術も提案されている（例えば、特許文献２参照）。
【００１３】
しかしながら、運転負荷が大きい場合、ユーザは運転操作に集中する。そのため、特許文献１に記載の技術では、提示された情報に対して適切な応答が行われない場合がある。
【００１４】
また、特許文献２のように、運転負荷が大きい場合、情報提示を行わないことも可能である。しかし、車両の運転時において、運転負荷は刻々と変わる。そのため、情報提示の開始時に運転負荷が低い場合でも、その直後に運転負荷が高くなる場合がある。このような場合、結局ユーザが所望の応答を行うことは困難である。
【００１５】
そこで、本発明の一態様に係る通知制御装置は、車の運転者への通知を表示装置に表示させる表示制御部と、前記通知の表示の開始後に前記通知に対する応答を前記運転者から入力装置を介して受け付ける応答受付部とを備え、前記応答受付部は、前記通知の表示の終了後であっても、前記通知に対する前記応答を受け付ける。
【００１６】
これにより、通知制御装置は、通知の表示中において運転負荷が大きく応答が困難である場合でも、通知の表示の終了後において応答を受け取ることができる。すなわち、通知制御装置は、通知に対する応答を適切に受け取ることができる。
【００１７】
例えば、前記通知制御装置は、さらに、最後に表示された前記通知が格納される記憶部を備え、前記応答受付部は、前記記憶部に格納された前記通知に対する前記応答を受け付けてもよい。
【００１８】
これにより、通知制御装置は、最後に表示された通知に対する応答を受け取ることができる。
【００１９】
また、例えば、前記表示制御部は、前記通知の表示の開始前に、および、前記通知の表示の終了後に、前記運転者が前記車の運転に用いる情報を前記表示装置に表示させてもよい。
【００２０】
これにより、通知制御装置は、通常時において、運転に用いられる情報を表示装置に表示させることができる。
【００２１】
また、例えば、前記表示制御部は、前記通知を前記表示装置に表示させる際、前記情報に代えて、または、前記情報と共に、前記通知を前記表示装置に表示させてもよい。
【００２２】
これにより、通知制御装置は、運転に用いられる情報と、通知との両方または一方を表示装置に表示させることができる。
【００２３】
また、例えば、前記表示制御部は、前記運転に用いる前記情報として、前記車の周辺の道路情報、または、前記車の走行情報を前記表示装置に表示させてもよい。
【００２４】
これにより、通知制御装置は、通常時において、運転に用いられる道路情報または走行情報を表示装置に表示させることができる。
【００２５】
また、例えば、前記表示制御部は、前記運転者への前記通知として、前記車の周辺における施設を前記表示装置に表示させるか否かの確認通知、または、前記車の設備を動作させるか否かの確認通知を前記表示装置に表示させてもよい。
【００２６】
これにより、通知制御装置は、表示または動作の確認のための通知を表示装置に表示させることができる。
【００２７】
また、例えば、前記表示制御部は、前記通知を表示してから所定の時間の経過後に、前記通知の表示を終了してもよい。
【００２８】
これにより、通知制御装置は、通知を無駄に表示装置に表示させ続けることを抑制することができる。
【００２９】
また、例えば、前記表示制御部は、さらに、前記通知の表示の終了後に前記応答受付部が前記応答を受け取った場合、再度、前記通知を前記表示装置に表示させてもよい。
【００３０】
これにより、通知制御装置は、どのような通知に対して応答が行われたかを表示装置に表示させることができる。
【００３１】
また、例えば、前記表示制御部は、さらに、前記通知の表示の終了後に前記応答受付部が前記応答を受け取った場合でも、前記応答に対応する新たな通知を前記表示装置に表示させてもよい。
【００３２】
これにより、通知制御装置は、通知の表示の終了後に応答を受け取った場合でも、応答に対応する新たな通知を表示装置に表示させることができる。
【００３３】
また、例えば、前記通知制御装置は、さらに、前記通知の表示の終了後に前記応答受付部が前記応答を受け取った場合でも、前記応答に対応する動作を前記車の設備に行わせる動作制御部を備えてもよい。
【００３４】
これにより、通知制御装置は、通知の表示の終了後に応答を受け取った場合でも、応答に対応する動作を設備に行わせることができる。
【００３５】
また、例えば、前記応答受付部は、マイク、または、前記車のステアリング・ホイールに取り付けられたスイッチである前記入力装置を介して、前記応答を受け付けてもよい。
【００３６】
これにより、通知制御装置は、音声またはスイッチによって入力される応答を受け取ることができる。
【００３７】
また、例えば、前記通知制御装置は、さらに、前記通知の表示中に、音声出力装置に前記通知を音声で出力させる音声出力制御部を備えてもよい。
【００３８】
これにより、通知制御装置は、通知を表示装置に表示させるだけでなく、通知を音声出力装置に音声で出力させることができる。
【００３９】
また、例えば、前記通知制御装置は、さらに、前記車の状態を取得する状態取得部を備え、前記表示制御部は、取得された前記状態が前記通知のための所定の条件を満たす場合に、前記通知を前記表示装置に表示させてもよい。
【００４０】
これにより、通知制御装置は、状態に応じて、通知を表示装置に表示させることができる。
【００４１】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００４２】
以下、実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４３】
（実施の形態）
図１は、実施の形態に係る通知システムの構成を示すブロック図である。図１に示された通知システム１００は、ユーザへの通知を出力する。ここでは、ユーザは、車（車両）を運転する運転者である。
【００４４】
通知システム１００は、通知制御装置１１０を含む。通知制御装置１１０は、表示制御部１１４、および、応答受付部１１５を備える。また、通知システム１００は、通知制御装置１１０の他に、状態取得部１１１、記憶部１１２、音声出力制御部１１３、動作制御部１１６、音声出力装置１１７、表示装置１１８、および、入力装置１１９を含む。
【００４５】
状態取得部１１１は、車の状態を取得する処理部である。例えば、状態取得部１１１は、有線または無線のネットワークを介して、車の位置、車の速度、または、車室内の温度などを取得する。
【００４６】
記憶部１１２は、情報を記憶するための記憶装置（メモリ）である。例えば、記憶部１１２には、表示装置１１８に表示された通知（通知を示す情報）が格納される。さらに、記憶部１１２には、その他の情報が格納されてもよい。
【００４７】
音声出力制御部１１３は、音声出力装置１１７の出力を制御する処理部である。例えば、音声出力制御部１１３は、状態取得部１１１で取得された状態に応じて、運転者への通知を音声出力装置１１７に音声で出力させる。
【００４８】
表示制御部１１４は、表示装置１１８の表示を制御する処理部である。例えば、表示制御部１１４は、状態取得部１１１で取得された状態に応じて、運転者への通知を表示装置１１８に表示させる。
【００４９】
応答受付部１１５は、入力装置１１９を介して、通知に対する応答を受け付ける処理部である。応答を受け付けるとは、応答を受け取ることができる状態で、応答を待つことを意味する。例えば、応答受付部１１５は、入力装置１１９を介して応答を受け取ることができる状態で、応答を待つ。そして、入力装置１１９に応答が入力された場合、応答受付部１１５は、応答を入力装置１１９から受け取る。より具体的には、応答受付部１１５は、入力装置１１９に入力された応答を示す信号を入力装置１１９から受信する。
【００５０】
動作制御部１１６は、応答に対応する動作を車の設備に行わせる処理部である。例えば、動作制御部１１６は、応答に応じて、エアコンを起動したり、窓を開けたり、ルームランプを消灯したりする。
【００５１】
音声出力装置１１７は、情報を音声で出力する出力インタフェースである。音声出力装置１１７は、スピーカでもよい。例えば、音声出力装置１１７は、音声出力制御部１１３の制御に基づいて、運転者への通知を音声で出力する。
【００５２】
表示装置１１８は、情報を表示する表示インタフェースである。表示装置１１８は、液晶ディスプレイのようなディスプレイ装置でもよい。例えば、表示装置１１８は、表示制御部１１４の制御に基づいて、運転者への通知を表示する。
【００５３】
入力装置１１９は、運転者が通知に対する応答を入力するための入力インタフェースである。入力装置１１９は、運転者が応答を音声で入力するためのマイクでもよいし、運転者が応答を手で入力するためのスイッチでもよい。
【００５４】
図２は、図１に示された通知システム１００の動作を示すフローチャートである。まず、状態取得部１１１は、車の状態を取得する（Ｓ１０１）。次に、表示制御部１１４は、状態に応じて、通知を表示装置１１８に表示させる（Ｓ１０２）。同時に、音声出力制御部１１３は、通知を音声出力装置１１７に音声で出力させる（Ｓ１０３）。また、同時に、表示制御部１１４は、通知を記憶部１１２へ格納する（Ｓ１０４）。
【００５５】
通知の表示の開始後、応答受付部１１５は、記憶部１１２に格納された通知に対する応答を受け付ける（Ｓ１０５）。特に、本実施の形態において、応答受付部１１５は、通知の表示の終了後であっても、通知に対する応答を受け付ける。そして、応答受付部１１５が応答を受け取った場合、動作制御部１１６は、応答に対応する動作を車の設備に行わせる（Ｓ１０６）。
【００５６】
上記の手順により、通知の表示中において運転負荷が大きく応答が困難である場合でも、通知システム１００は、通知の表示の終了後において応答を受け取ることができる。
【００５７】
特に、本実施の形態では、通知制御装置１１０の表示制御部１１４は、車の運転者への通知を表示装置１１８に表示させる。そして、通知制御装置１１０の応答受付部１１５は、通知の表示の開始後に通知に対する応答を運転者から入力装置１１９を介して受け付ける。また、応答受付部１１５は、通知の表示の終了後であっても、通知に対する応答を受け付ける。これにより、通知制御装置１１０は、通知に対する応答を適切に受け取ることができる。
【００５８】
つまり、通知制御装置１１０は、図１において点線で示された他の構成要素を含まなくても、通知に対する応答を適切に受け取ることができる。また、図２において点線で示された処理は、省略されてもよい。あるいは、通知制御装置１１０は、図１において点線で示された他の複数の構成要素の一部または全てを含んでもよい。そして、図２において点線で示された複数の処理の一部または全てが、通知制御装置１１０において行われてもよい。
【００５９】
例えば、通知制御装置１１０は、最後に表示された通知が格納される記憶部１１２を備えてもよい。そして、応答受付部１１５は、記憶部１１２に格納された通知に対する応答を受け付けてもよい。また、上記では、表示制御部１１４が通知を記憶部１１２に格納しているが、通知制御装置１１０は、通知を記憶部１１２に格納する格納処理部（図示せず）を備えてもよい。
【００６０】
また、例えば、通知制御装置１１０は、通知の表示の終了後に応答受付部１１５が応答を受け取った場合でも、応答に対応する動作を車の設備に行わせる動作制御部１１６を備えてもよい。また、例えば、通知制御装置１１０は、通知の表示中に、音声出力装置１１７に通知を音声で出力させる音声出力制御部１１３を備えてもよい。
【００６１】
また、例えば、通知制御装置１１０は、車の状態を取得する状態取得部１１１を備えてもよい。そして、表示制御部１１４は、状態取得部１１１によって取得された状態が通知のための所定の条件を満たす場合に、通知を表示装置１１８に表示させてもよい。
【００６２】
また、例えば、表示制御部１１４は、通知の表示の開始前に、および、通知の表示の終了後に、運転者が車の運転に用いる情報（基本情報）を表示装置１１８に表示させてもよい。表示制御部１１４は、通知を表示装置１１８に表示させる際、基本情報に代えて、または、基本情報と共に、通知を表示装置１１８に表示させてもよい。表示制御部１１４は、基本情報として、車の周辺の道路情報、または、車の走行情報（走行速度または走行距離など）を表示装置１１８に表示させてもよい。
【００６３】
また、例えば、表示制御部１１４は、運転者への通知として、車の周辺における施設を表示装置１１８に表示させるか否かの確認通知、または、車の設備を動作させるか否かの確認通知を表示装置１１８に表示させてもよい。表示制御部１１４は、通知を表示してから所定の時間の経過後に、通知の表示を終了してもよい。
【００６４】
また、例えば、通知の表示の終了後に応答受付部１１５が応答を受け取った場合、表示制御部１１４は、再度、通知を表示装置１１８に表示させてもよい。また、例えば、通知の表示の終了後に応答受付部１１５が応答を受け取った場合でも、表示制御部１１４は、応答に対応する新たな通知を表示装置１１８に表示させてもよい。
【００６５】
そして、通知の表示の終了後に応答受付部１１５が応答を受け取った場合、表示制御部１１４は、再度、最後に表示された通知を表示装置１１８に表示させてから、新たな通知を表示装置１１８に表示させてもよい。また、この場合、表示制御部１１４は、最後に表示された通知と共に、新たな通知を表示装置１１８に表示させてもよい。また、表示制御部１１４は、通知に対する応答を表示してもよい。
【００６６】
新たな通知は、先の通知の応答に基づいて表示装置１１８に表示される情報に対応する。例えば、レストランの情報を表示装置１１８に表示させるか否かの確認の通知に対して肯定的な応答があった場合、表示制御部１１４は、レストランの情報を新たな通知として表示装置１１８に表示させてもよい。あるいは、この場合、表示制御部１１４は、レストランの情報を絞り込むための通知（半径５ｋｍ以内のレストランの情報のみを表示するか否かなど）を新たな通知として表示装置１１８に表示させてもよい。
【００６７】
また、表示制御部１１４が応答に対応する表示を表示装置１１８に行わせる処理は、動作制御部１１６が応答に対応する動作を車の設備に行わせる処理に対応する。つまり、応答に対応する表示を表示装置１１８に行わせる表示制御部１１４は、動作制御部１１６に対応する。なお、動作制御部１１６は、記憶部１１２に格納された通知を用いて応答に対応する動作を特定し、特定された動作を車の設備に行わせてもよい。
【００６８】
（変形例）
以下、上記の実施の形態の変形例を示す。本変形例では、上記の実施の形態に係る通知システム１００が情報提示装置として示され、上記の実施の形態に係る通知制御装置１１０が提示情報管理部および情報提示制御部として示される。
【００６９】
図３は、本変形例に係る情報提示装置の構成を示すブロック図である。本変形例に係る情報提示装置２００は、自動車などの車両に搭載される。そして、情報提示装置２００は、提示情報記憶部２１１、状態取得部２１２、ユーザ嗜好記憶部２１３、提示条件記憶部２１４、提示情報管理部２１５、応答取得部２１６、情報提示制御部２１７、表示部２１８、音声出力部２１９、および、処理実行部２２０を備える。
【００７０】
例えば、情報提示装置２００は、図１の通知システム１００に対応する。提示情報管理部２１５および情報提示制御部２１７は、図１の通知制御装置１１０に対応する。また、提示情報管理部２１５および情報提示制御部２１７は、通知制御装置２１０を構成する。提示情報管理部２１５は、主に、図１の応答受付部１１５に対応する。情報提示制御部２１７は、主に、図１の音声出力制御部１１３および表示制御部１１４に対応する。
【００７１】
また、例えば、提示情報記憶部２１１、ユーザ嗜好記憶部２１３および提示条件記憶部２１４は、主に、図１の記憶部１１２に対応する。状態取得部２１２は、主に、図１の状態取得部１１１に対応する。応答取得部２１６は、主に、図１の入力装置１１９に対応する。表示部２１８は、主に、図１の表示装置１１８に対応する。音声出力部２１９は、主に、図１の音声出力装置１１７に対応する。処理実行部２２０は、主に、図１の動作制御部１１６に対応する。
【００７２】
提示情報記憶部２１１は、ユーザに提示するための情報（提示情報）を記憶するための記憶部である。提示情報は、ユーザへの通知を含む。例えば、提示情報は、車両周辺の施設情報（おすすめのレストラン等）、あるいは、車両の状態に基づくユーザへの注意喚起の情報（アクセル踏みすぎの注意喚起等）などである。
【００７３】
なお、提示情報は、ローカルストレージに記憶されている情報でもよいし、インターネット等からリアルタイムで取得された情報でもよい。つまり、提示情報記憶部２１１に記憶されている情報が、提示情報として用いられてもよいし、インターネット等からリアルタイムで取得された情報が、提示情報として用いられてもよい。
【００７４】
状態取得部２１２は、車両もしくはユーザの状態（状態を示す情報）を取得する。状態取得部２１２により取得される状態は、例えば、ＧＰＳによる位置情報でもよいし、ＣＡＮ（Ｃｏｎｔｒｏｌｌｅｒ  Ａｒｅａ  Ｎｅｔｗｏｒｋ）による速度情報またはステアリングの舵角情報などでもよい。
【００７５】
ユーザ嗜好記憶部２１３は、ユーザのプロフィール情報または嗜好などを記憶するための記憶部である。例えば、ユーザ嗜好記憶部２１３には、図示しない入力手段によって入力されたプロフィール情報が格納されてもよいし、提示情報に対するユーザの応答に基づき、ユーザの嗜好が格納されてもよい。具体的には、例えば、ユーザ嗜好記憶部２１３は、図４に示すようなテーブルを保持し、各々の提示情報に対して優先度を保持してもよい。
【００７６】
図４は、図３のユーザ嗜好記憶部２１３に保持されるユーザ嗜好テーブルを示す図である。図４の優先度の初期値は、例えば、ユーザのプロフィール情報に基づいて決定される。その後、各々の提示情報に対するユーザの応答に基づき、優先度が更新される。具体的には、例えば、応答が「肯定的」であれば優先度が＋１され、応答が「否定的」であれば、優先度が−１される。そして、優先度が０以下になった場合、以降の一定期間において該当する情報が提示されないように制御される。
【００７７】
なお、本変形例において、提示情報ごとに優先度が設定されているが、複数の類似した提示情報を一纏めにして、纏まりごとに優先度が設定されてもよい。
【００７８】
提示条件記憶部２１４は、提示条件を記憶するための記憶部である。具体的には、提示条件記憶部２１４は、提示情報管理部２１５が情報を提示するか否かを判断するための条件を記憶している。提示条件記憶部２１４は、例えば、図５に示すようなテーブルを保持し、各々の提示情報に対して、提示条件を記憶している。
【００７９】
図５は、図３の提示条件記憶部２１４に保持される提示条件テーブルを示す図である。なお、本変形例においては、提示情報ごとに提示条件が設定されるが、複数の類似した提示情報を一纏めにして、纏まりごとに提示条件が設定されてもよい。
【００８０】
提示情報管理部２１５は、状態取得部２１２により取得された状態、ユーザ嗜好記憶部２１３に記憶された嗜好情報、および、提示条件記憶部２１４に記憶された情報提示条件に基づき、提示情報記憶部２１１に記憶されている情報を選択する。そして、提示情報管理部２１５は、選択された情報を情報提示制御部２１７に出力する。
【００８１】
また、提示情報管理部２１５は、ユーザに対して最後に提示された情報（最終提示情報）を保持する。したがって、情報提示終了後においても、ユーザは、最後に提示された情報に対して応答できる。
【００８２】
応答取得部２１６は、車両に搭載された入力デバイスであり、提示情報に対するユーザの応答を取得する。例えば、応答取得部２１６は、ステアリングに取り付けられたスイッチ、または、音声認識を行うためのマイクである。
【００８３】
情報提示制御部２１７は、提示情報の表示および音声出力の開始タイミングおよび終了タイミングを制御する。表示部２１８は、例えば液晶ディスプレイであり、提示情報の表示を行う。音声出力部２１９は、例えばスピーカであり、提示情報の音声出力を行う。
【００８４】
処理実行部２２０は、提示情報に対してユーザから「肯定的」な応答があった場合に、応答に対応する処理を実行する。例えば、処理実行部２２０は、応答に対応する動作を車両の設備に行わせる。
【００８５】
図６は、図３に示された情報提示装置２００の動作を示すフローチャートである。まず、状態取得部２１２は、ユーザまたは車両の状態を取得する（Ｓ２０１）。次に、提示情報管理部２１５は、取得された状態に基づいて、提示条件に適合する提示情報があるか否かを判定する（Ｓ２０２）。提示条件に適合する提示情報がない場合（Ｓ２０２でＮｏ）、情報提示装置２００は動作を終了する。
【００８６】
提示条件に適合する提示情報がある場合（Ｓ２０２でＹｅｓ）、情報提示装置２００は、提示情報の出力を開始する（Ｓ２０３）。具体的には、提示情報管理部２１５は、提示情報を情報提示制御部２１７に出力する。そして、情報提示制御部２１７は、提示情報を表示部２１８に表示させる。また、情報提示制御部２１７は、提示情報を音声出力部２１９に音声で出力させる。
【００８７】
提示情報の出力の開始後、提示情報管理部２１５は、提示情報に対する応答の受付を開始する（Ｓ２０４）。つまり、提示情報の出力の開始後に、提示情報管理部２１５は、提示情報に対する応答をユーザから応答取得部２１６を介して受け付ける。そして、応答があった場合（Ｓ２０５でＹｅｓ）、処理実行部２２０は、応答に対応する処理を実行する。具体的には、処理実行部２２０は、応答に対応する動作を車両の設備に行わせる（Ｓ２１１）。その後、情報提示装置２００は動作を終了する。
【００８８】
応答がない場合（Ｓ２０５でＮｏ）、提示情報管理部２１５は、応答の受付を継続する。そして、提示情報の出力の開始から、応答がないまま、所定の時間（第１の時間）が経過した場合（Ｓ２０６でＹｅｓ）、情報提示制御部２１７は、提示情報の出力を終了する（Ｓ２０７）。
【００８９】
具体的には、この時、情報提示制御部２１７は、表示部２１８に提示情報の表示を終了させる。また、情報提示制御部２１７は、この時まで、音声出力部２１９に提示情報の音声出力を繰り返させ、この時、音声出力部２１９に提示情報の音声出力を終了させる。ただし、この後も、提示情報管理部２１５は、提示情報に対する応答の受付を継続する。
【００９０】
提示情報の出力の終了後において応答があった場合も（Ｓ２０８でＹｅｓ）、処理実行部２２０は、応答に対応する処理を実行する。具体的には、処理実行部２２０は、応答に対応する動作を車両の設備に行わせる（Ｓ２１１）。その後、情報提示装置２００は動作を終了する。
【００９１】
応答がない場合（Ｓ２０８でＮｏ）、提示情報管理部２１５は、提示情報の出力の開始から、所定の時間（第１の時間よりも長い第２の時間）が経過するまで、応答の受付を継続する。そして、提示情報の出力の開始から、応答がないまま、所定の時間（第２の時間）が経過した場合（Ｓ２０９でＹｅｓ）、提示情報管理部２１５は、応答の受付を終了する（Ｓ２１０）。そして、情報提示装置２００は動作を終了する。
【００９２】
情報提示装置２００は、上記の動作の終了後、初めから動作を繰り返してもよい。あるいは、情報提示装置２００は、所定の時間間隔ごとに、上記の動作を行ってもよい。なお、図６のフローチャートでは、第２の時間が経過した後、提示情報管理部２１５は、応答の受付を終了する。しかし、提示情報管理部２１５は、第２の時間が経過した後も、応答の受付を継続してもよい。
【００９３】
次に、図７に示すタイムチャートを用いて、本変形例に係る情報提示装置２００の動作を説明する。図７は、図３に示された情報提示装置２００の動作を示すタイムチャートである。また、図８は、図７に示された「基本画面」および「情報提示画面」を示す図である。
【００９４】
具体的には、図７に示された「基本画面」は、図８の左側に示された画面であり、通常時に表示される。基本画面に含まれるコンテンツは、ナビゲーション情報、メータ情報または燃費情報などであり、基本的に常時表示されることを前提とするコンテンツである。図８では、ナビゲーションの地図画面の例が図示されている。
【００９５】
また、図７に示された「情報提示画面」は、図８の右側に示された画面であり、提示情報管理部２１５により選択された提示情報を含む。図８では、「近くのレストランを表示しますか？」という情報（情報Ｉ１）を提示する場合の例が図示されている。
【００９６】
図８のように、通常時において、表示部２１８に「基本画面」が表示される。提示情報管理部２１５において提示情報が選択された場合、「情報提示画面」に表示が遷移する（遷移Ａ）。
【００９７】
そして、提示情報に対してユーザが応答した場合、もしくは、所定の時間（例えば、２０秒）が経過した場合、「情報提示画面」の表示が停止し、「基本画面」に表示が遷移する（遷移Ｂ）。「基本画面」のコンテンツは、常時表示されることを前提とするため、「情報提示画面」の表示は、必要最低限の時間で実施される。
【００９８】
図７において、時刻Ｔ０から時刻Ｔ１までの間、表示部２１８は「基本画面」を表示している。
【００９９】
この間において、提示情報管理部２１５は、提示情報記憶部２１１に記憶されている提示情報のうち、ユーザ嗜好記憶部２１３に記憶されたユーザ嗜好に合致する提示情報を抽出する。そして、提示情報管理部２１５は、状態取得部２１２によって取得された状態が、抽出された提示情報について提示条件記憶部２１４に保持されている情報提示条件を満たすかどうかを判定する。
【０１００】
時刻Ｔ１において、情報Ｉ１の情報提示条件が満たされた場合、情報提示制御部２１７は、表示部２１８に「情報提示画面」を表示するとともに、「近くのレストランを表示しますか？」という音声を音声出力部２１９から出力する。
【０１０１】
ここで、ユーザからの応答があった場合、応答取得部２１６は、提示情報に対するユーザの応答を取得し、提示情報に対するユーザの応答が「肯定的」および「否定的」のいずれかであるかを判定する。本変形例では、ステアリングに取り付けられた「ＹＥＳ」および「ＮＯ」の２つのスイッチによりユーザが応答する。応答取得部２１６は、ユーザが「ＹＥＳ」を押下した場合には「肯定的」、「ＮＯ」を押下した場合には「否定的」な応答であると判定する。
【０１０２】
そして、情報提示制御部２１７は、「情報提示画面」の表示を停止して、表示を「基本画面」に切り替える。また、ユーザの応答が「肯定的」であった場合、処理実行部２２０は、対応する処理（本変形例では「近くのレストランの表示」）を実行する。応答に対応して表示される近くのレストランは、応答に対応する新たな情報（通知）の一例である。
【０１０３】
情報提示制御部２１７は、ユーザからの応答がない場合でも、所定の時間、「情報提示画面」の表示を継続する。そして、情報提示制御部２１７は、所定の時間が経過後（時刻Ｔ２）、「情報提示画面」の表示を停止して、表示を「基本画面」に切り替える。
【０１０４】
ただし、時刻Ｔ２以降も、提示情報管理部２１５において、ユーザに対して最後に提示された情報（ここでは、情報Ｉ１）は、保持される。ユーザは、この最後に提示された情報に対して応答することが可能である。
【０１０５】
時刻Ｔ２以降にユーザからの応答があった場合にも、時刻Ｔ１からＴ２の間の場合と同様に、応答取得部２１６は、提示情報に対するユーザの応答を取得する。そして、応答取得部２１６は、提示情報に対するユーザの応答が「肯定的」および「否定的」のいずれであるかを判定する。そして、ユーザの応答が「肯定的」であった場合、処理実行部２２０は、対応する処理（本変形例では「近くのレストランの表示」）を実行する。
【０１０６】
なお、上記の例では、情報提示装置２００は、ユーザの応答があった場合、対応する処理が即実行される。しかし、情報提示装置２００は、ユーザがどの提示情報に対して応答したかを確認するためのメッセージを出力してもよい。例えば、情報提示装置２００は、ユーザの応答があった場合に、確認のために「近くのレストランを表示しますか？」という表示を行ってもよい。
【０１０７】
また、情報提示装置２００は、ユーザから肯定的な応答を受け取った後、近くのレストランの表示を行う前に、「半径５ｋｍ以内のレストランのみを表示しますか？」というメッセージを含む「情報提示画面」を表示してもよい。このようなメッセージは、応答に対応する新たな情報（通知）の一例である。情報提示装置２００は、このようなメッセージに対しても同様に、メッセージの表示が終了していても、応答を受け付ける。
【０１０８】
図７のタイムチャートに戻って、説明を継続する。時刻Ｔ３において、情報Ｉ１とは別の情報Ｉ２（例えば、「エアコンをＯＮにしますか？」という情報）の提示条件が満たされた場合、情報提示制御部２１７は表示部２１８に、情報Ｉ２を含む「情報提示画面」を表示する。同時に、情報提示制御部２１７は、「エアコンをＯＮにしますか？」という音声を音声出力部２１９から出力する。また、提示情報管理部２１５において、最終提示情報が情報Ｉ１から情報Ｉ２に更新される。以降、情報Ｉ１の場合と同様の処理が行われる。
【０１０９】
以上のように、本変形例では、最後に提示された情報が保持される。そして、情報の提示が終了した後でも応答が受け付けられる。そのため、情報提示時に運転負荷が大きく応答が困難である場合でも、後で所望の応答を行うことが可能である。
【０１１０】
なお、本変形例では、提示条件が満たされた場合、基本画面に代えて、提示情報を含む情報提示画面が表示される。しかし、提示条件が満たされた場合、提示情報を含む基本画面が表示されてもよい。
【０１１１】
図９は、提示情報を含む基本画面を示す図である。図９に示された基本画面は、提示情報を含むため、情報提示画面でもある。情報提示装置２００は、この基本画面を情報提示画面として表示してもよい。この基本画面では、基本画面に含まれるコンテンツの一部が、提示情報で隠れる。
【０１１２】
したがって、上記と同様に、情報提示装置２００は、所定の時間の経過後に、提示情報を含む基本画面（情報提示画面）から、提示情報を含まない通常の基本画面へ、表示を切り替える。そして、上記のように、提示情報を含まない通常の基本画面が表示された後も、情報提示装置２００は、提示情報に対する応答を受け付ける。これにより、情報提示時に運転負荷が大きく応答が困難である場合でも、後で所望の応答を行うことが可能である。
【０１１３】
（適用例）
図１０は、実施の形態の適用例を示す図である。図１０の通知システム３００は、図１の通知システム１００に対応する。図１０の表示装置３０１は、図１の表示装置１１８に対応する。図１０の入力装置３０２は、図１の入力装置１１９に対応する。図１０の通知制御装置３０４は、図１の通知制御装置１１０に対応する。
【０１１４】
通知システム３００は、車３３０に搭載される。表示装置３０１は、運転者から見える位置に設置される。入力装置３０２は、車３３０のステアリング（ステアリング・ホイール）３０３に取り付けられた２つのスイッチを含む。通知制御装置３０４は、集積回路であり、車３３０に実装される。
【０１１５】
通知制御装置３０４は、車３３０の運転者への通知を表示装置３０１に表示させる。通知制御装置３０４は、通知の表示の開始後、通知に対する応答を運転者から入力装置３０２を介して受け付ける。例えば、入力装置３０２に含まれる２つのスイッチのうち、一方は、「Ｙｅｓ」のスイッチであり、他方は、「Ｎｏ」のスイッチである。運転者は、２つのスイッチのうちのいずれかをオンにすることにより、通知に対する応答を行う。
【０１１６】
そして、通知制御装置３０４は、通知の表示の終了後であっても、通知に対する応答を受け付ける。したがって、通知の表示中に運転負荷が大きく応答が困難である場合でも、後で所望の応答を行うことが可能である。
【０１１７】
なお、本適用例では、入力装置３０２は、２つのスイッチを含む。しかし、入力装置３０２は、マイクを含んでもよい。そして、通知制御装置３０４は、マイクを介して応答を受け付けてもよい。
【０１１８】
また、本適用例では、表示装置３０１は、運転席と助手席との間の前方の位置に配置されている。しかし、表示装置３０１は、運転席の前方の位置に配置されてもよい。そして、通知制御装置３０４は、メータ情報を表示する表示装置３０１に通知を表示させてもよい。あるいは、表示装置３０１は、フロントガラス等に情報を表示するヘッドアップディスプレイでもよい。
【０１１９】
また、本適用例では、通知システム３００は、車３３０に搭載されている。しかし、通知システム３００は、携帯可能な装置に含まれていてもよい。例えば、通知システム３００は、スマートフォンに含まれていてもよい。そして、通知システム３００を含むスマートフォンによって、通知と応答の制御が行われてもよい。
【０１２０】
以上の通り、実施の形態に係る通知制御装置は、通知の表示の終了後であっても、通知に対する応答を受け付ける。したがって、通知制御装置は、通知に対する応答を適切に受け取ることができる。
【０１２１】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記実施の形態の通知制御装置などを実現するソフトウェアは、次のようなプログラムである。
【０１２２】
すなわち、このプログラムは、コンピュータに、車の運転者への通知を表示装置に表示させる表示制御ステップと、前記通知の表示の開始後に前記通知に対する応答を前記運転者から入力装置を介して受け付ける応答受付ステップとを含み、前記応答受付ステップでは、前記通知の表示の終了後であっても、前記通知に対する前記応答を受け付ける通知制御方法を実行させる。
【０１２３】
また、例えば、通知制御装置は、集積回路などの電子回路でもよい。通信制御装置に含まれる複数の構成要素は、全体として１つの回路でもよいし、それぞれ別々の回路でもよい。また、これらの構成要素は、それぞれ、汎用的な回路でもよいし、専用の回路でもよい。
【０１２４】
また、例えば、通知制御装置に含まれる特定の構成要素が実行する処理を別の構成要素が実行してもよい。また、処理を実行する順番が変更されてもよいし、複数の処理が並行して実行されてもよい。
【０１２５】
また、例えば、通知制御装置は、実施の形態に示された各構成要素に対応するメモリおよびプロセッサを備えてもよい。そして、プロセッサが、メモリを用いて、実施の形態に示された各処理を実行してもよい。
【０１２６】
以上、一つまたは複数の態様に係る通知制御装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１２７】
本発明は、車の運転者への通知を制御する通知制御装置に利用可能であり、例えば、カーナビゲーション装置、メーターディスプレイ、ヘッドアップディスプレイ、スマートフォン、携帯電話および携帯端末等に利用可能である。
【符号の説明】
【０１２８】
１００、２００、３００  通知システム（情報提示装置）
１１０、２１０、３０４  通知制御装置
１１１、２１２  状態取得部
１１２  記憶部
１１３  音声出力制御部
１１４  表示制御部
１１５  応答受付部
１１６  動作制御部
１１７  音声出力装置
１１８、３０１  表示装置
１１９、３０２  入力装置
２１１  提示情報記憶部
２１３  ユーザ嗜好記憶部
２１４  提示条件記憶部
２１５  提示情報管理部
２１６  応答取得部
２１７  情報提示制御部
２１８  表示部
２１９  音声出力部
２２０  処理実行部
３０３  ステアリング（ステアリング・ホイール）
３３０  車
【図１】
2014196083.tif 000003
【図２】
2014196083.tif 000004
【図３】
2014196083.tif 000005
【図４】
2014196083.tif 000006
【図５】
2014196083.tif 000007
【図６】
2014196083.tif 000008
【図７】
2014196083.tif 000009
【図８】
2014196083.tif 000010
【図９】
2014196083.tif 000011
【図１０】
2014196083.tif 000012